(57)【特許請求の範囲】
【請求項１】
一般住宅の屋根等傾斜面の表面を緑化する為に該建築物表面に並設される複数の緑化パネルユニットを備えて構成される緑化パネルにおいて、
各緑化パネルユニットは、透水パネルと、土壌マットと、前記緑化パネルユニットを並設したときに対面する側面にそれぞれ所定の箇所に設けられた切り欠きもしくは孔に前記緑化パネルユニットを相互に連結するための連結手段と、土壌流出防止手段を備える凹型の緑化トレイとを有してなり、
前記緑化パネルは、給水手段を有するとともに前記連結手段と同一構造を持つ緑化パネルユニット連結手段を有して前記緑化トレイを上部から固定する上部固定部と、排水手段を有するとともに前記緑化パネルユニットの前記連結手段に連結される切り欠きもしくは孔を有して前記緑化トレイを下部から固定する下部固定部とをさらに具備してなることを特徴とする緑化パネル。
【請求項２】
前記緑化トレイは前記土壌マットが偏らないように係留する係留手段を備えることを特徴とする請求項１記載の緑化パネル。
【請求項３】
前記上部固定部と前記下部固定部に水循環システムが配設されることを特徴とする請求項１又は２記載の緑化パネル。
【発明の詳細な説明】
【０００１】
【発明の属する技術分野】
本発明は、建物の屋根等傾斜面上に設け緑化するためのものであり、植物栽培特に地被植物を育成する緑化パネルに関するものである。
【０００２】
【従来の技術】
従来の緑化パネルは、建物の屋上を緑化するものとして用いられてきたが、それはどれも平面の屋上のみについてのものであった。このような平面を緑化する従来の緑化パネルを、そのまま一般の住宅のような傾斜した屋根をもつ家屋の屋上には適用できない。
【０００３】
これは、一般住宅のような傾斜した屋上に従来の緑化パネルを設置すると、土壌の盛られた緑化パネルユニットが傾斜し、そのために緑化パネルユニットの土壌が大量に流出してしまい、土壌が定着せず、軒樋に堆積するなどの問題がある。そこで、大量の土壌の流出を防止する必要があるが、平面設置用の緑化パネルではこれを防止できるだけの構造が考慮されていない。
【０００４】
また、傾斜面上に設置されることで、植物への給水に対しても偏りが生じやすく、植物が均一に育成しないことのみならず、一部が根腐れを起こしたり、枯れたりするといった問題が生じる。
【０００５】
このように、従来の平面用の緑化パネルを傾斜面の緑化には用いることができず、一般住宅の屋根等傾斜面の緑化ができなかったのである。
【０００６】
【発明が解決しようとする課題】
そこで、本発明は上記の問題点に鑑みてなされたもので、緑化パネルが斜面に設置されることにより大量に流出する土壌の流出を防止し、植物への給水も均一に行うことができ、さらに敷設、撤去等施工に多大な労力、時間やコストを要さないで斜面を緑化できるユニット工法による緑化パネルを提供するものである。
【０００７】
【課題を解決するための手段】
上記目的を達成するために本発明の緑化パネルは、以下の構成を備える。すなわち、
請求項１の発明では、一般住宅の屋根等傾斜面の表面を緑化する為に該建築物表面に並設される複数の緑化パネルユニットを備えて構成される緑化パネルにおいて、各緑化パネルユニットは、透水パネルと、土壌マットと、前記緑化パネルユニットを並設したときに対面する側面にそれぞれ所定の箇所に設けられた切り欠きもしくは孔に前記緑化パネルユニットを相互に連結するための連結手段と、土壌流出防止手段を備える凹型の緑化トレイとを有してなり、前記緑化パネルは、給水手段を有するとともに前記連結手段と同一構造を持つ緑化パネルユニット連結手段を有して前記緑化トレイを上部から固定する上部固定部と、排水手段を有するとともに前記緑化パネルユニットの前記連結手段に連結される切り欠きもしくは孔を有して前記緑化トレイを下部から固定する下部固定部とをさらに具備してなることを特徴とする。
【０００８】
請求項２の発明では、前記緑化トレイは前記土壌マットが偏らないように係留する係留手段を備えることを特徴とする。
【０００９】
請求項３の発明では、前記上部固定部と前記下部固定部に水循環システムが配設されることを特徴とする。
【００１０】
【発明の実施の形態】
以下、本発明に係わる緑化パネルの第１の実施の形態を図１を用いて、第２の実施の形態を図４を用いて、第３の実施の形態を図６を用いて、それぞれ説明する。
【００１１】
（第１実施形態）
本発明に係わる緑化パネルの第１の実施の形態を、図１に基づいて以下に説明する。
【００１２】
図１に示すように、本発明の緑化パネルは、凹型緑化トレイ４０内に地被植物１０と土壌マット３０と透水パネル２０とを設置して構成されるものである。
【００１３】
土壌マット３０は植物に水分を供給する保水性のあるもので、例えば軽量人工土壌を網目状の袋に入れたものである。この網目状の袋により土壌の流出を防止することができる。
【００１４】
緑化トレイ４０は所定の箇所に連結手段として鍵状連結部４１ｂを有する流水口４１と流水口４１の鍵状連結部４１ｂと嵌合する切り欠きをもった流水口４２を備えるものである。
【００１５】
図２（ａ）は、緑化トレイ４０内に透水パネル２０を設置した状態を示している。図２（ａ）におけるＡ−Ａ’部の断面を示したものが、図２（ｂ）である。
【００１６】
透水パネル２０は、土壌マット３０と緑化トレイ４０の間に設置され直接土壌マット３０と緑化トレイ４０が接触しないようにし、緑化トレイ４０を流れる水が透水パネル２０を流水することで、土壌マット３０が常に接触している状態を回避でき、植物の根が腐るのを防止する。
【００１７】
また、流水口４１に設けられた土壌流出防止構造は、例えば網状体４１ａが流水口４１に張設されるものであり、この網状体の目を土壌マット３０の袋目状の袋の目よりも細かいものにしておくことで、土壌マット３０からの土壌の流出を網状体４１ａで防ぐことが可能となり、並設された緑化パネルユニット内で土壌が偏って堆積することを防ぐことができる。
【００１８】
図３（ａ）に示すように、緑化トレイ４０の鍵状連結部４１ｂを有した流水口４１のB−B’の断面と、流水口４２のC−C’の断面を示したものが、それぞれ図３（ｂ）、図３（ｃ）である。流水口４１の鍵状連結部４１ｂと、その鍵状連結部４１ｂに嵌合する構造を有する流水口４２とを連結した連結部の断面を示したものが図３（ｄ）である。
【００１９】
図３（ｄ）に示すように個々の緑化パネルユニットに給水された水の水位が流水口４１と流水口４２の高さＨを越えたとき、緑化トレイ４０の流水口４１に備えられた鍵状連結部４１ｂにより連結された複数の緑化パネルユニットに流水させることが可能となる。
【００２０】
次に、本実施の形態の緑化パネルに日常管理としての水の給水作業における動作説明をする。本実施の形態における緑化パネルへの給水においては、複数連結された緑化パネルユニットの流水口４１と流水口４２のうち、連結されていない１つの流水口４１もしくは流水口４２から例えばじょうろ等を用いて水を供給することで、複数連結された緑化パネルユニットにほぼ均一に水を流水させることができるので、個々の緑化パネルユニットへそれぞれ給水を行う必要はない。また、緑化パネルユニットはユニット単位で施工することができるので、移設、撤去が容易に行える。
【００２１】
（第２実施形態）
本発明に係わる第２の実施の形態を、図４に基づいて以下に説明する。なお、本実施の形態は上述した第１の実施の形態のものと同じ箇所には同じ符号を付してあるので、同じ符号の箇所の詳細な説明は省略する。
【００２２】
本実施の形態は、緑化パネルを一般住宅の屋根等傾斜面に設置するものであることを特徴とする緑化パネルである。
【００２３】
傾斜面に設置された緑化パネルユニットを上部から固定する上部固定部５０と、下部から固定する下部固定部６０とを備えている。
【００２４】
図４に示すように、上部固定部５０には、緑化パネルユニットとの連結手段として緑化トレイ４０の流水口４１の連結手段である鍵状連結部４１ｂと同一構造の鍵状連結部５１を設けられ、この鍵状連結部５１には上部固定部５０から緑化パネルユニットの流水口４２に給水するための給水口５２が鍵状連結部５１に設けられている。また、上部固定部５０は、内部が空洞となっており、外部から上部固定部５０内に給水をするための孔５３を設けてある。本実施形態でも、じょうろ等を用いて、孔５３から水を給水し、供給された水は上部固定部５０の内部に供給され、給水口５２より水が排出される。
【００２５】
下部固定部６０には、緑化トレイ４０の流水口４１に備えられた鍵状連結部４１ｂに嵌合する緑化トレイ４０の流水口４２の構造を有した排水口６１が設けられており、排水口６１により緑化パネルユニットに給水された余剰水を排水する。排水口６１に排水された水は、下部固定部６０に設けられた孔６２から外部に排出される。
【００２６】
上部固定部５０と下部固定部６０の緑化パネルユニットとの連結は、上述した第１の実施の形態で説明したように、緑化トレイ４０相互の連結と同様に、上部固定部５０と下部固定部６０がそれぞれ緑化パネルユニットの上下から緑化トレイ４０と連結されることで緑化パネルユニットがばらばらにならず傾斜面に設置できる。
【００２７】
また、図５に示すように土壌マット３０を緑化パネルユニット内部に係留する係留手段４３は、例えば針のようなものを所定の数設ければよい。係留手段４３により、土壌マット３０が緑化パネルユニット内で偏って設置されることを防ぐ働きをする。
【００２８】
本実施の形態により、緑化パネルを傾斜面に安定して設置することができるだけでなく、緑化パネルユニット内部の土壌が偏らないので、植物が均一に育ち、また美観を損ねることなく傾斜面の緑化ができる。
【００２９】
（第３実施形態）
本発明の第３の実施の形態である緑化パネルに給水用の水を循環する水循環システム７０を配設した緑化パネルについて、図６に基づいて説明する。
【００３０】
本実施の形態は、緑化パネルの上部固定部５０と下部固定部６０に給水用の水の循環をさせるための水循環システム７０を備えたことを特徴とするものである。この水循環システム７０において、水を上部固定部５０に汲み上げるには、水汲み上げ手段７３として、例えば市販の電動ポンプなどを用いればよい。
【００３１】
また、水汲み上げ手段７３に連結される給水管７１は、上部固定部５０の孔５３に連結され、上部固定部５０に水を供給する。また、排水管７２は下部固定部６０の孔６２に連結され、下部固定部６０に排水された緑化パネルユニットからの余剰水を水汲み上げ手段７３に回収するものである。
【００３２】
また、上部固定部５０はその内部が空胴であるので、上部固定部５０内に給水管（不図示）を配設することができる。上部固定部５０の給水口５２に給水管の散水口が面するように設置することで上部固定部５０に連結された緑化パネルユニット全てに均一に給水できる。
【００３３】
このような水循環システム７０により、給水口５２を有する上部固定部５０から地被植物１０に供給された水の余剰分が排水口６１を有する下部固定部６０に排水され、上部固定部５０と下部固定部６０に接続された水循環システム７０によってもう一度地被植物１０に給水することができ、供給水を節約することができる。
【００３４】
【発明の効果】
本発明の緑化パネルによれば、従来の緑化パネルを傾斜面に設置することで、問題となっていた土壌の流出が緑化トレイ４０の流水口４１に設けられた土壌流出防止構造により防止され、土壌が軒樋に堆積する恐れがなくなる。
【００３５】
また、本発明の緑化パネルは、一定寸法の緑化パネルユニットを目的の範囲に整然と配置するだけで目的の箇所を美観を損なうことなく緑化できるので施工が容易であり、個々の緑化パネルユニットを連結することで供給された水の余剰分が他の緑化パネルユニットに流水していくので、個々の緑化パネルユニットに給水する作業を省力化することが可能となる。
【図面の簡単な説明】
【図１】  本発明に係わる第１の実施の形態である緑化パネルを構成する緑化パネルユニットの概略図である
【図２】  本発明に係わる緑化パネルユニットの断面図である
【図３】  本発明に係わる連結手段の断面図である
【図４】  本発明に係わる第２の実施の形態である緑化パネルに配設される上部固定部と下部固定部を示す図である
【図５】  本発明に係わる緑化トレイの図である
【図６】  本発明に係わる第３の実施の形態である緑化パネルに配設する水循環システムを示す概念図である
【符号の説明】
１０   地被植物
２０   透水パネル
３０   土壌マット
４０   緑化トレイ
４１   鍵状連結部を備えた流水口
４１ａ 網状体
４１ｂ  鍵状連結部
４２   鍵状連結部と嵌合する流水口
４３   土壌マット係留手段
５０   上部固定部
５１   鍵状連結部
５２   給水口
５３   孔
６０   下部固定部
６１   排水口
６２   孔
７０   水循環システム
７１   給水管
７２   配水管
７３   水汲み上げ手段
【図１】
0004385508.tif 000002
【図２】
0004385508.tif 000003
【図３】
0004385508.tif 000004
【図４】
0004385508.tif 000005
【図５】
0004385508.tif 000006
【図６】
0004385508.tif 000007